(57)【要約】【課題】  使用者等が見て楽しむことができ、しかも、色々な場所に飾って楽しむことができる磁石付き模型を提供する。【解決手段】  磁石付き模型１０は、台座２１と、台座２１の正面側に設けられる模型２２と、台座２１の裏面側に設けられる磁石２３と、を有する本体２０を備え、本体２０を磁石２３の磁力によって磁性体の壁面Ｓ１に吸着させるものである。さらに、磁石付き模型１０は、本体２０とは別体に構成されるスタンド３０を有し、スタンド３０は、本体２０が磁性体の壁面Ｓ１に吸着されるときは、本体２０に収納される一方、本体２０が置物として使用されるときは、本体２０から取り出されると共に、台座２１の裏面側に組み付けられ、接地面に対して模型２２の正面２２ａが傾斜するように本体２０を支えて立てる。【選択図】  図２
0003172608.tif 000002
【実用新案登録請求の範囲】
【請求項１】
台座と、前記台座の正面側に設けられる模型と、前記台座の裏面側に設けられる磁石と、を有する本体を備え、磁性体の壁面に前記本体の裏面側を前記磁石の磁力によって着脱可能に吸着させるようにした磁石付き模型であって、
前記本体とは別体に構成され、かつ、前記本体に収納可能なスタンドを有し、
前記スタンドは、前記台座の裏面側に組み付けられ、前記本体を支えて立てることが可能である磁石付き模型。
【請求項２】
請求項１において、
前記台座の裏面側に、前記スタンドを収納可能な凹部が設けられた磁石付き模型。
【請求項３】
請求項２において、
前記凹部の深さは、前記スタンドの厚みと同程度またはそれより大きい磁石付き模型。
【請求項４】
請求項１乃至請求項３のいずれか一項において、
前記スタンドは、保持穴を有し、
前記台座は、裏面に前記保持穴に嵌合可能な保持部を有する磁石付き模型。
【請求項５】
請求項１乃至請求項４のいずれか一項において、
前記台座は、差し込み穴を有し、
前記スタンドは、前記差し込み穴に嵌合可能な差し込み部を有する磁石付き模型。
【考案の詳細な説明】
【技術分野】
【０００１】
本考案は、磁石付き模型に関するものである。
【背景技術】
【０００２】
冷蔵庫やホワイトボード等の壁面に用紙を留めることができる磁石付きホルダーが広く利用されている。磁石付きホルダーは、接着剤や粘着テープを使うことなく、種々の用紙を簡単に壁面に着脱できるものであり、利便性が高い。従来、磁石付きホルダーに関する各種の技術が提案されている（たとえば、特許文献１参照）。
【０００３】
図８は、特許文献１に記載されるマグネットクリップを示す図であり、マグネットクリップ１００では、２枚の台座紙１０１，１０２を折り畳み自在に連結し、一方の台座紙１０１に磁石１０３を嵌め、他方の台座紙１０２に磁性体シート１０４を埋める。使用者は、磁石１０３を冷蔵庫等の壁面に吸着させることで、マグネットクリップ１００を磁石付きホルダーとして使用できる。また、磁石１０３と磁性体シート１０４の間に生ずる磁力によって、２枚の台座紙１０１，１０２の間に用紙を挟むことができるので、マグネットクリップ１００は、用紙を束ねるクリップとしても使用可能である。
【０００４】
ところで、近年、いわゆるフィギュアに代表されるように、見て楽しい小物の需要が高まっている。このため、磁石付きホルダーにおいては、利便性に加え、見て楽しい装飾性が求められている。
【先行技術文献】
【特許文献】
【０００５】
【特許文献１】実用新案登録第３１６５９６９号公報
【考案の概要】
【考案が解決しようとする課題】
【０００６】
しかしながら、特許文献１に記載されるマグネットクリップ１００は、ホルダーやクリップとして機能する単なる留め具である。台座紙１０１，１０２に文字や絵を描くことは可能であるが、文字や絵だけでは、使用者あるいは見る人に面白さや楽しさを十分に与えることは難しい。
【０００７】
そこで、本考案は、このような事情に鑑みてなされたものであり、その目的は、使用者等が見て楽しむことができ、しかも、色々な場所に飾って楽しむことができる磁石付き模型を提供することにある。
【課題を解決するための手段】
【０００８】
本考案は、台座と、台座の正面側に設けられる模型と、台座の裏面側に設けられる磁石と、を有する本体を備え、磁性体の壁面に本体の裏面側を磁石の磁力によって着脱可能に吸着させるようにした磁石付き模型であって、本体とは別体に構成され、かつ、本体に収納可能なスタンドを有し、スタンドは、台座の裏面側に組み付けられ、本体を支えて立てることが可能である。
【０００９】
また、本考案の磁石付き模型において、台座の裏面側に、スタンドを収納可能な凹部を有することが好ましい。また、本考案の磁石付き模型において、凹部の深さは、スタンドの厚みと同程度またはそれより大きいことが好ましい。また、本考案の磁石付き模型において、スタンドは、保持穴を有し、台座は、裏面に前記保持穴に嵌合可能な保持部を有することが好ましい。また、本考案の磁石付き模型において、台座は、差し込み穴を有し、スタンドは、差し込み穴に嵌合可能な差し込み部を有することが好ましい。
【考案の効果】
【００１０】
本考案によれば、模型を磁性体の壁面に飾ることに加え、模型を置物として飾ることもできる。したがって、模型を見て楽しむことができ、しかも、色々な場所に飾って楽しむことができる磁石付き模型を提供することができる。
【図面の簡単な説明】
【００１１】
【図１】本考案にかかる実施形態の磁石付き模型の正面図である。
【図２】図１のＡ矢視図であり、磁石付き模型の側面図である。
【図３】図２のＢ矢視図であり、磁石付き模型の背面図である。
【図４】磁石付き模型を背面側から見た分解斜視図である。
【図５】スタンドの構成を説明する図であり、（ａ）は右側面図、（ｂ）は左側面図である。
【図６】スタンドの使用方法を説明する図であり、（ａ）はスタンドを取り出す工程を説明する図、（ｂ）はスタンドを組み付ける工程を説明する図、（ｃ）は本体の向きを変える工程を説明する図である。
【図７】（ａ）は組み付けたスタンドの作用を説明する図、（ｂ）は（ａ）の比較例の作用を説明する図である。
【図８】従来のマグネットクリップの基本構成を説明する図である。
【考案を実施するための形態】
【００１２】
以下、添付図面を参照して、本考案を実施するための形態（以下、実施形態）について詳細に説明する。なお、実施形態の説明の全体を通して同じ要素には同じ番号を付している。また、実施形態の説明において、左右・上下は、模型の正面に正対したときの左右・上下とする。
【００１３】
図１に示すように、磁石付き模型１０は、本体２０と、本体２０の付属品であるスタンド３０とを有する。本体２０は、台座２１、模型２２および磁石２３を主要素とし、磁石２３の磁力によって磁性体の壁面（たとえば、冷蔵庫の壁面）に吸着可能なものである。なお、模型２２は、いわゆるフィギュアに代表される、たとえば、キャラクタ、人、動物、植物等の形を模したものであり、種類、材質、形状あるいは大きさは、任意である。
【００１４】
磁石付き模型１０の各部の構成を図２〜図４に基づいて詳細に説明する。
図２では、壁面（この例では垂直な壁面）Ｓ１に吸着させたときの磁石付き模型１０の形態を示す。磁性体の壁面Ｓ１は、磁性材料（強磁性材料）で構成される物品の壁面であって、冷蔵庫の他、たとえば、ホワイトボード、ロッカー、掲示板あるいはマグネットボードなどを構成する壁面であり、種類や面の向きは任意である。
【００１５】
図２に示すように、模型２２は、台座２１の正面側に設けられる。一方、台座２１の裏面側には、模型２２側に凹む凹部２４が設けられる。凹部２４の上部には、磁石２３が収納され、磁石２３は壁面Ｓ１に吸着される。また、凹部２４の下部には、スタンド３０が収納される。
【００１６】
スタンド３０は、本体２０が置物として使用されるときは、凹部２４から取り出される。取り出されたスタンド３０は、本体２０を支えて立てるように、台座２１の裏面側に組み付けられる。このような役割を果たすスタンド３０の構成および組み付け方法の詳細は、後述する。
【００１７】
図３に示すように、台座２１は、模型２２（図２参照）を支持する平板状の台座基部２１ａと、台座基部２１ａの外周縁から壁面Ｓ１（図２参照）側に所定の幅で形成される周壁部２１ｂと、を有する。凹部２４は、台座基部２１ａの裏面と周壁部２１ｂの内周面によって形成される。台座基部２１ａの下部には、本体２０が置物として使用されるときに、スタンド３０に支持される略円筒形の支持部２５が設けられる。支持部２５には、スタンド３０の一端が差し込まれる多角形状（たとえば、正六角形状）の差し込み穴２６が設けられる。
【００１８】
また、図４に示すように、台座基部２１ａには、円筒部２７が設けられる。磁石２３は、略円盤状であり、円筒部２７の内径部２８に嵌合される。磁石２３は、締まり嵌めによって、内径部２８に固定されてもよいし、あるいは、接着剤や両面テープ等で固定されてもよい。また、台座基部２１ａには、収納されるスタンド３０を着脱可能に保持する略円柱状の保持部２９が突出して設けられる。また、凹部２４の深さ（周壁部２１ｂ内側の高さ）Ｄは、スタンド３０の厚みｔと同程度またはそれよりも大きく設定することが望ましい。このように凹部２４の深さを設定すると、スタンド３０が周壁部２１ｂによって隠れるため、磁石付き模型１０の見栄えがよくなる。
【００１９】
次に、スタンド３０の構成を図５に基づいて詳細に説明する。
図５では、本体２０（図２参照）を置物として使用するときのスタンド３０の形態を示しており、符号Ｓ２は、接地面である。接地面Ｓ２は、上に向く面（たとえば、水平面）であり、机や棚等の家具類の他、物を置くことが可能な物品の面であれば、種類は任意である。図５（ａ）および（ｂ）に示すように、スタンド３０は、接地面Ｓ２に沿って延びるスタンド基部３１を有する。なお、スタンド３０は、図３に示すように、使用されないときには、スタンド基部３１の長手方向を台座基部２１ａの裏面に沿わせるようにして収納される。
【００２０】
図５に戻る。図５（ａ）および（ｂ）に示すように、スタンド基部３１の一端側の底部には、直線状の第１接地部３４が設けられ、他端側の底部には、平面状の第２接地部３５が設けられる。また、スタンド基部３１の底部には、スタンド基部３１の大部分を接地面Ｓ２から逃がす（接地面Ｓ２に接触させない）ための２つの逃がし部３６，３７が設けられる。これらの逃がし部３６，３７は、スタンド基部３１の長手方向に並び、かつ、第１接地部３４を挟むように設けられる。逃がし部３６，３７によって、スタンド３０は、第１接地部３４および第２接地部３５の２箇所が接地する。結果、スタンド３０は、がたつくことなく安定して接地面Ｓ２に載る。
【００２１】
また、スタンド３０は、スタンド基部３１の一端側に設けられ差し込み穴２６（図４参照）に嵌合可能な差し込み部３２と、スタンド基部３１の高さ方向略中央位置に設けられ保持部２９（図４参照）に嵌合可能な保持穴３３と、を有する。
【００２２】
差し込み部３２は、たとえば円柱状であり、スタンド基部３１から見て、前上方に向けて突出する。このように傾斜した差し込み部３２の軸線３２ａは、鉛直線Ｐに対して傾斜角θ１だけ傾斜している。また、差し込み部３２の外径寸法ｄ１は、差し込み穴２６の対向面間の距離Ｌ１（図３参照）よりも若干大きく設定されることが望ましい。このように外径ｄ１を設定することで、差し込み部３２が差し込み穴２６に圧入され、しっかりと嵌め込まれる。
【００２３】
保持穴３３は、スタンド基部３１を左右方向に貫通する多角形状（たとえば、正六角形状）の穴であり、保持穴３３の対向面間の距離Ｌ２は、保持部２９の外径寸法ｄ２（図４参照）よりも小さく設定されることが望ましい。このように保持穴３３の大きさを設定することで、保持部２９が保持穴３３に圧入され、しっかりと嵌め込まれる。また、保持穴３３を貫通穴としたので、使用者は、スタンド３０を収納する際、保持穴３３を覗きながら、保持部２９の位置を容易に確認できる。
【００２４】
なお、スタンド基部３１は、中実の部品の他、図５（ｂ）に示すように、側方から肉を抜いた部品（薄い壁で囲われる形態）でもよい。この場合、薄肉に形成される周壁３８の上部と下部の間に円柱部３９を設け、この円柱部３９に保持穴３３を貫通させる。このようにスタンド基部３１を構成すれば、スタンド基部３１の材料の使用量を削減できると共に、保持穴３３の長さも確保できる。加えて、スタンド基部３１を合成樹脂で成形する場合、スタンド基部３１を薄肉とすることで、成形品の寸法安定性が良くなり、ひけの防止も図れる。
【００２５】
次に、スタンドの使用方法を図６に基づいて説明する。
図６（ａ）に示すように、使用者は、まず、台座２１の凹部２４に収納されるスタンド３０を指で摘み、スタンド３０を保持部２９から外して取り出す（矢印（１））。次に、図６（ｂ）に示すように、スタンド３０の差し込み部３２を差し込み穴２６に向け（（矢印（２））、差し込み穴２６に嵌め込む（矢印（３））。このとき、差し込み穴２６を中心にスタンド３０を回して、第２接地部３５を台座２１の内側に位置するように、スタンド３０の向きを調節する。そして、図６（ｃ）に示すように、台座２１が下に向くように本体２０の向きを変え（矢印（４））、模型２２の正面２２ａ（図２参照）を手前に向けて、机や棚などの飾りたい場所に置く。
【００２６】
すると、図７（ａ）に示すように、台座２１の下端縁、第１接地部３４および第２接地部３５の３箇所が接地面Ｓ２に接し、スタンド３０によって本体２０が傾斜して立つ。すなわち、台座２１および模型２２は、接地面Ｓ２に対して傾斜角θ２だけ見る人の側に傾斜する。
【００２７】
なお、傾斜角θ２は、模型２２の形態や本体２０の重心位置などに応じて、任意の大きさに設定可能である。また、この例では、傾斜角θ２と傾斜角θ１（図５（ａ）参照）とが略一致するが、スタンド３０と本体２０の相対的な位置や向きなどに応じて、傾斜角θ１と傾斜角θ２は、それぞれ異なる大きさに設定可能である。さらに、この例では、台座２１の下端縁と接地部３４，３５を接地させたが、本体２０を傾斜させることができれば、接地箇所の位置や数は、適宜変更可能である。
【００２８】
ここで、仮に、スタンド３０が付属されていない場合を考える。この場合、図７（ｂ）に示すように、台座２１を接地面Ｓ２にそのまま置くことになる。このため、模型２２の正面２２ａが必然的に上を向く。一般に、飾られた置物を見るときは、主に横から見ることが多い。したがって、磁石付き模型４０を見る場合、主に破線の矢印（５）で示す向きに、模型２２を見ることになる。しかし、模型２２の正面２２ａが上に向いているため、模型２２の下部や側面しか見えない。
【００２９】
この点、本実施形態では、図７（ａ）に示したように、模型２２の正面２２ａ側が傾斜角θ２だけ傾斜しているので、磁石付き模型１０を横から（破線の矢印（５）で示す向きに）見たとき、模型２２の正面２２ａを見ることができる。これにより、置物として飾るときに、模型２２の正面２２ａ側を見て楽しむことができる。したがって、磁性体の壁面Ｓ１（図２参照）を含め、本体２０を色々な場所に飾って楽しむことができる。なお、磁石付き模型１０は、各種用紙を磁性体の壁面に留めるホルダーとして使用できることは、言うまでもない。
【００３０】
また、本実施形態では、スタンド３０を本体２０とは別体に構成した。これに対し、スタンドを折り畳み式に構成するなど、スタンドを本体に結合させることも可能である。しかし、このようにスタンドを構成すると、スタンドと本体を結合するための機構（たとえばヒンジなど）が必要になる。この場合、結合部分の形状が複雑になるため、部品の製作や組み立てに手間がかかる。
【００３１】
そこで、本実施形態では、スタンド３０を本体２０とは別体の部品で構成した。これにより、スタンド３０の取り付け部の構造（差し込み部３２や差し込み穴２６）を簡素化でき、スタンド３０や台座２１の製作あるいは組み立てを容易に行うことができる。結果、製造コストを抑えることができる。加えて、スタンド３０を台座２１に着脱自在に収納できるので、スタンド３０を失くすことを防ぐこともできる。
【００３２】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。またその様な変更または改良を加えた形態も本考案の技術的範囲に含まれ得ることが、実用新案登録請求の範囲の記載から明らかである。
【００３３】
たとえば、実施形態では、スタンドを台座の凹部に収納したが、スタンドを収納するための構成は、格別に限定されるものではなく、スタンドを本体に収納できる構成であれば、収納する位置や収納するための構造は任意である。
【符号の説明】
【００３４】
１０    磁石付き模型
２０    本体
２１    台座
２２    模型
２３    磁石
２４    凹部
３０    スタンド
Ｓ１    壁面
Ｓ２    接地面
【図１】
0003172608.tif 000003
【図２】
0003172608.tif 000004
【図３】
0003172608.tif 000005
【図４】
0003172608.tif 000006
【図５】
0003172608.tif 000007
【図６】
0003172608.tif 000008
【図７】
0003172608.tif 000009
【図８】
0003172608.tif 000010